(57)【特許請求の範囲】
【請求項１】
貨幣が偽造貨幣であるか否かを手動で識別する識別操作を支援するための偽造貨幣識別支援装置において、
識別すべき貨幣の金種を設定金種として予め設定する金種設定手段と、
外部から貨幣を取り入れる貨幣取り入れ手段と、
前記貨幣取り入れ手段により取り入れられた貨幣の金種が、前記金種設定手段により予め設定された設定金種と同一であるか否かの判定を行う金種判定手段と、
前記金種判定手段により、設定金種と同一の金種であると判定された貨幣を特定貨幣として外部へ排出する貨幣排出手段と、
前記貨幣排出手段により排出される特定貨幣の金種および数量を記憶する記憶手段と、
を備え、
前記貨幣排出手段により外部へ排出された特定貨幣のうち手動により偽造貨幣ではないと識別された特定貨幣を前記貨幣取り入れ手段により再び取り入れ、この再び取り入れられた特定貨幣の金種および数量と前記記憶手段により記憶された金種および数量とが一致したときに偽造貨幣の識別操作が正常に終了したと判断されるようになっていることを特徴とする偽造貨幣識別支援装置。
【請求項２】
偽造貨幣の識別操作が正常に終了したことが判断されたときに操作者に対してこの偽造貨幣の識別操作が正常に終了したという情報を知らせる識別操作終了報知手段を更に備えたことを特徴とする請求項１記載の偽造貨幣識別支援装置。
【請求項３】
前記偽造貨幣識別支援装置は外部の販売時点情報管理システムに接続されており、
偽造貨幣の識別操作が正常に終了したことが判断されたときに前記販売時点情報管理システムに対してこの偽造貨幣の識別操作が正常に終了したという情報を伝達する伝達手段を更に備えたことを特徴とする請求項１または２記載の偽造貨幣識別支援装置。
【請求項４】
前記伝達手段は、偽造貨幣の識別操作が正常に終了したことが判断されたときに、前記取り入れ手段により最初に外部から取り入れられた貨幣の金種および数量に係る情報も前記販売時点情報管理システムに伝達することを特徴とする請求項３記載の偽造貨幣識別支援装置。
【請求項５】
前記貨幣取り入れ手段により取り入れられた貨幣のうち設定金種と同一の金種である貨幣が存在することが前記金種判定手段により判定されたときに操作者に対して手動による識別操作を行う必要があることを知らせる喚起手段を更に備えたことを特徴とする請求項１乃至４のいずれか一項に記載の偽造貨幣識別支援装置。
【請求項６】
前記偽造貨幣識別支援装置に障害が発生したときに操作者に対して警報を発する警報手段を更に備え、
前記喚起手段および前記警報手段は互いに異なる方法により操作者に対して各々の情報を伝達するようになっていることを特徴とする請求項５記載の偽造貨幣識別支援装置。
【発明の詳細な説明】
【技術分野】
【０００１】
本発明は、貨幣が偽造貨幣であるか否かを手動で識別する識別操作を支援するための偽造貨幣識別支援装置に関する。
【背景技術】
【０００２】
従来より、一括して投入され複数の金種が混在している貨幣の中から特定の金種の貨幣を区分して取り出す貨幣自動入金機として、例えば特許文献１に開示されるものが知られている。ここで、貨幣とは紙幣や硬貨のことをいう。このような貨幣自動入金機においては、一括して投入される貨幣の中に偽造貨幣が含まれているおそれがあるため、これらの貨幣の中に偽造貨幣が含まれているか否かの識別を別途行う必要がある。とりわけ、米ドル紙幣やユーロ紙幣には偽造紙幣が含まれている可能性が他の紙幣に比べて高いので、例えば米国やヨーロッパ諸国においては偽造紙幣が含まれているか否かの識別を行う必要性が高くなっている。
【０００３】
偽造貨幣が含まれているか否かの識別を行う一の方法としては、複数の金種が混在している全ての貨幣について操作者が目視や手ざわり等の手動により偽造貨幣が含まれているか否かの識別操作を行う方法がある。また、他の方法としては、貨幣が偽造貨幣であるか否かを自動的に識別する自動識別装置を用いる方法がある（例えば、特許文献２、３等参照）。
【０００４】
【特許文献１】特開昭５９−１７７６９１号公報
【特許文献２】特開２００２−２７９４７７号公報
【特許文献３】特開平１０−２４７２６２号公報
【発明の開示】
【発明が解決しようとする課題】
【０００５】
しかしながら、全ての貨幣について操作者が手動により偽造貨幣が含まれているか否かの識別操作を行う方法においては、一括して投入される貨幣の数量が大きい場合には操作者に多大な負担をかけることになり、またこの識別操作にかかる時間が長くなってしまうという問題がある。
一方、貨幣が偽造貨幣であるか否かを自動的に識別する自動識別装置を用いる方法においては、一般的に自動識別装置は非常に精密な機器であるため高価なものとなっており、貨幣自動入金機全体のコストが高くなってしまうという問題がある。また、自動識別装置は対象となる貨幣を撮像してこの撮像された貨幣の画像と基準となる画像とを自動で比較することにより高速かつ安定的な偽造貨幣の識別を行うことができるが、操作者が貨幣に直接触れることにより当該貨幣の識別を行った場合においては、対象となる貨幣が偽造貨幣であったときには操作者は手ざわり等の触感によりこのことを認識することができるという利点がある。すなわち、例えば対象となる紙幣の紙質により偽造紙幣を見分ける際には、一般的には機械による判断よりも人間の触感による判断の方が優れている場合が多いといえる。
【０００６】
本発明は、このような点を考慮してなされたものであり、全ての貨幣について操作者が手動により偽造貨幣であるか否かの識別操作を行う場合と比較して、操作者の手間を省くことができるとともに一連の識別操作にかかる時間を短縮することができ、また、貨幣が偽造貨幣であるか否かを自動的に識別する自動識別装置を用いる場合と比較して、装置全体のコストを安価なものとすることができるとともに対象となる貨幣が偽造貨幣であったときには操作者が手ざわり等の触感によりこのことを認識することができるような偽造貨幣識別支援装置を提供することを目的とする。
【課題を解決するための手段】
【０００７】
本発明の偽造貨幣識別支援装置は、貨幣が偽造貨幣であるか否かを手動で識別する識別操作を支援するための偽造貨幣識別支援装置において、識別すべき貨幣の金種を設定金種として予め設定する金種設定手段と、外部から貨幣を取り入れる貨幣取り入れ手段と、前記貨幣取り入れ手段により取り入れられた貨幣の金種が、前記金種設定手段により予め設定された設定金種と同一であるか否かの判定を行う金種判定手段と、前記金種判定手段により、設定金種と同一の金種であると判定された貨幣を特定貨幣として外部へ排出する貨幣排出手段と、前記貨幣排出手段により排出される特定貨幣の金種および数量を記憶する記憶手段と、を備え、前記貨幣排出手段により外部へ排出された特定貨幣のうち手動により偽造貨幣ではないと識別された特定貨幣を前記貨幣取り入れ手段により再び取り入れ、この再び取り入れられた特定貨幣の金種および数量と前記記憶手段により記憶された金種および数量とが一致したときに偽造貨幣の識別操作が正常に終了したと判断されるようになっていることを特徴とする。ここで、貨幣とは紙幣や硬貨のことをいう。
このような偽造貨幣識別支援装置によれば、全ての貨幣について操作者が手動により偽造貨幣であるか否かの識別操作を行う場合と比較して、高額貨幣等の特定の金種の貨幣を自動的に抽出してこの抽出された貨幣のみの識別を手動により行うので操作者の手間を省くことができ、一連の識別操作にかかる時間を短縮することができる。また、貨幣が偽造貨幣であるか否かを自動的に識別する自動識別装置を用いる場合と比較して、装置全体のコストを安価なものとすることができるとともに、操作者が貨幣に直接触れることにより、対象となる貨幣が偽造貨幣であったときには操作者は手ざわり等の触感によりこのことを認識することができる。
【０００８】
本発明の偽造貨幣識別支援装置においては、偽造貨幣の識別操作が正常に終了したことが判断されたときに操作者に対してこの偽造貨幣の識別操作が正常に終了したという情報を知らせる識別操作終了報知手段を更に備えることが好ましい。
このような偽造貨幣識別支援装置によれば、操作者は偽造貨幣の識別操作が正常に終了したことを確実に認識することができる。
【０００９】
本発明の偽造貨幣識別支援装置においては、外部の販売時点情報管理システムに接続されているとともに、偽造貨幣の識別操作が正常に終了したことが判断されたときに前記販売時点情報管理システムに対してこの偽造貨幣の識別操作が正常に終了したという情報を伝達する伝達手段を更に備えることが好ましい。
このような偽造貨幣識別支援装置によれば、外部の販売時点情報管理システムに偽造貨幣の識別操作が正常に終了したことを伝達することができ、この販売時点情報管理システムにおいて所望の情報管理を行うことができる。
【００１０】
本発明の偽造貨幣識別支援装置においては、前記伝達手段は、偽造貨幣の識別操作が正常に終了したことが判断されたときに、前記取り入れ手段により最初に外部から取り入れられた貨幣の金種および数量に係る情報も前記販売時点情報管理システムに伝達することが好ましい。
このような偽造貨幣識別支援装置によれば、偽造貨幣識別支援装置に取り入れられた全ての貨幣についてその金種および数量に係る情報を販売時点情報管理システムによって確実に管理することができる。
【００１１】
本発明の偽造貨幣識別支援装置においては、前記貨幣取り入れ手段により取り入れられた貨幣のうち設定金種と同一の金種である貨幣が存在することが前記金種判定手段により判定されたときに操作者に対して手動による識別操作を行う必要があることを知らせる喚起手段を更に備えることが好ましい。
このような偽造貨幣識別支援装置によれば、貨幣取り入れ手段により貨幣を取り入れた後、手動による識別操作を行う必要がある場合は、操作者は喚起手段によってこのことを知らされることにより確実に当該識別操作を行うことができる。
【００１２】
本発明の偽造貨幣識別支援装置においては、この偽造貨幣識別支援装置に障害が発生したときに操作者に対して警報を発する警報手段を更に備え、前記喚起手段および前記警報手段は互いに異なる方法により操作者に対して各々の情報を伝達するようになっていることが好ましい。
このような偽造貨幣識別支援装置によれば、操作者は、偽造貨幣識別支援装置自体に障害が発生したときに確実にこのことを認識することができ、しかも、偽造貨幣であるか否かの手動による識別操作を行う必要があることについて報知を受けたのか、あるいは偽造貨幣識別支援装置自体に障害が発生したことについて報知を受けたのかを確実に区別することができる。
【発明の効果】
【００１３】
本発明の偽造貨幣識別支援装置によれば、全ての貨幣について操作者が手動により偽造貨幣であるか否かの識別操作を行う場合と比較して、操作者の手間を省くことができるとともに一連の識別操作にかかる時間を短縮することができる。また、貨幣が偽造貨幣であるか否かを自動的に識別する自動識別装置を用いる場合と比較して、装置全体のコストを安価なものとすることができるとともに対象となる貨幣が偽造貨幣であったときには操作者が手ざわり等の触感によりこのことを認識することができる。
【発明を実施するための最良の形態】
【００１４】
以下、図面を参照して本発明の実施の形態について説明する。図１乃至３は、本実施の形態による偽造貨幣識別支援装置を示す図である。
このうち図１は、本実施の形態の偽造貨幣識別支援装置の外観を示す斜視図であり、図２は、図１の偽造貨幣識別支援装置の制御部および各ブザーの構成を示すブロック図であり、図３は、図１の偽造貨幣識別支援装置を用いて偽造貨幣の手動による識別操作を行う際の各工程を示すフローチャートである。
【００１５】
本実施の形態における偽造貨幣識別支援装置１０は、貨幣が偽造貨幣であるか否かを操作者が目視や手ざわり等により手動で識別する識別操作を支援するためのものである。ここで、貨幣とは紙幣や硬貨のことをいう。具体的には、一旦この偽造貨幣識別支援装置１０の内部に送られた複数の貨幣のうち高額貨幣等の識別対象となる金種の貨幣のみが外部へ排出され、この排出された貨幣について操作者が手動により偽造紙幣であるか否かの識別を行って再び偽造貨幣識別支援装置１０の内部に戻すという一連の識別操作を支援するよう、偽造貨幣識別支援装置１０は形成されている。このような偽造貨幣識別支援装置１０は外部の販売時点情報管理システム３０（以下、ＰＯＳシステムともいう。）に接続されている。
【００１６】
図１に示すように、偽造貨幣識別支援装置１０は、紙幣を処理するための紙幣処理部１１と、硬貨を処理するための硬貨処理部１５とが左右に連結された構造となっている。紙幣処理部１１は、紙幣を内部へ送るための紙幣取り入れ口１２と、紙幣取り入れ口１２により内部へ取り入れられた紙幣を金種毎に分類して収納する紙幣収納庫１３と、内部にある紙幣を外部へ排出する紙幣排出口１４とを有している。一方、硬貨処理部１５は、硬貨を内部へ送るための硬貨取り入れ口１６と、硬貨取り入れ口１６により内部に取り入れられた硬貨を金種毎に分類して収納する硬貨収納庫１７と、内部にある硬貨を外部へ排出する硬貨排出口１８とを有している。また、この偽造貨幣識別支援装置１０は、図２に示すような制御部２０および各ブザー２５、２６、２７を内蔵している。
以下、偽造貨幣識別支援装置１０に投入される貨幣が米ドル紙幣である場合について説明する。
【００１７】
制御部２０は、図２に示すように、識別すべき紙幣の金種を設定金種として予め設定する金種設定器２１と、内部に取り入れられた紙幣の金種が前述の設定金種と同一であるか否かの判定を行う金種判定器２２と、外部へ排出される紙幣の金種および数量を記憶する記憶器２３とを有している。これらの金種設定器２１、金種判定器２２および記憶器２３はそれぞれインターフェース２９に接続しており、このインターフェース２９は紙幣処理部１１の紙幣取り入れ口１２、紙幣収納庫１３および紙幣排出口１４にそれぞれ接続するようになっている。また、インターフェース２９には情報の送受信を行うための伝達器２４が接続されており、この伝達器２４は外部のＰＯＳシステム３０に接続されている。さらに、インターフェース２９には後述する喚起用ブザー２５、障害発生時用ブザー２６および識別操作終了報知ブザー２７がそれぞれ接続されている。
図１および図２に示す偽造貨幣識別支援装置１０の各構成要素について以下に詳述する。
【００１８】
金種設定器２１は、偽造紙幣であるか否かの識別を行うべき紙幣の金種を設定金種として予め設定するものである。具体的には、操作者が識別を行うべき紙幣の金種を偽造貨幣識別支援装置１０に直接入力することにより、あるいはＰＯＳシステム３０に記憶された情報が伝達器２４を介して金種設定器２１に送られることにより、金種設定器２１は入力された情報に基づいて識別対象となる設定金種を予め設定する。
【００１９】
金種判定器２２は、紙幣取り入れ口１２により取り入れられた紙幣の金種が予め設定された設定金種と同一であるか否かの判定を行うものである。紙幣取り入れ口１２近傍には、外部から取り入れられた紙幣の金種を検出する検出センサ（図示せず）が設けられており、検出センサにより検出された紙幣の金種に係る情報が金種判定器２２に送られるようになっている。金種判定器２２は、金種設定器２１により予め設定された設定金種と、検出センサから送られた紙幣の金種とを比較する。両方の金種が同一のものであった場合は、取り入れられた紙幣を紙幣排出口１４により外部へ排出するような制御が制御部２０により行われる。このようにして外部へ排出された紙幣を「特定紙幣」とする。一方、両方の金種が異なっていた場合は、取り入れられた紙幣を金種毎に分類して紙幣収納庫１３に収納するような制御が制御部２０により行われる。
【００２０】
記憶器２３は、紙幣排出口１４により外部へ排出された特定紙幣の金種および数量を記憶するものである。具体的には、紙幣排出口１４近傍には、外部へ排出される特定紙幣の金種を検出する検出センサ（図示せず）が設けられており、検出センサにより検出された特定紙幣の金種および当該金種の特定紙幣が紙幣排出口１４を通貨した枚数に係る情報が記憶器２３に送られるようになっている。
【００２１】
伝達器２４は、図２に示すようにＰＯＳシステム３０に接続されており、ＰＯＳシステム３０に記憶された情報の受信、およびＰＯＳシステム３０に対する偽造貨幣識別支援装置１０に係る情報の送信を行うようになっている。
【００２２】
喚起用ブザー２５は、紙幣取り入れ口１２により取り入れられた紙幣のうち設定金種と同一の金種である紙幣が存在することが金種判定器２２により判定されたときに喚起音を発するものである。喚起用ブザー２５から発せられた喚起音を操作者が聞いた場合は、操作者は、紙幣排出口１４から排出された特定紙幣が偽造紙幣であるか否かの手動による識別操作を行う必要があることを認識することができる。一方、喚起用ブザー２５から喚起音が発せられなかった場合は、紙幣取り入れ口１２により取り入れられた紙幣において偽装紙幣であるか否かの識別対象となる紙幣が含まれていなかったことを操作者は認識することができる。
【００２３】
障害発生時用ブザー２６は、例えば紙幣取り入れ口１２、紙幣収納庫１３または紙幣排出口１４に紙詰まり等の障害が発生した場合に警報音を発するものである。ここで、前述の喚起用ブザー２５により発せられた喚起音と障害発生時用ブザー２６により発せられた警報音とは、操作者が区別することができるよう異なる音となっている。このため、操作者は偽造貨幣識別支援装置１０から音が発せられたときに、偽造紙幣であるか否かの手動による識別操作を行う必要があることを知らせるための音なのか、あるいは偽造貨幣識別支援装置１０に障害が発生したことを知らせるための音なのかを確実に区別することができるようになる。
【００２４】
識別操作終了報知ブザー２７は、偽造紙幣の識別操作が正常に終了したことが判断されたときに、報知音を発することにより操作者に対して偽造紙幣の識別操作が終了したという情報を知らせるよう形成されている。
【００２５】
次に、このような構成からなる本実施の形態の作用について図３を用いて説明する。
最初に、図３のＳＴＥＰ１に示すように、操作者が金種設定器２１に予め偽造紙幣であるか否かの識別対象となる紙幣の金種を設定金種として入力する。設定金種は一種類であってもよく、複数種類であってもよい。ここで、予め偽造紙幣であるか否かの識別対象となる紙幣の金種としては、例えば高額の紙幣、あるいは偽造頻度が高い紙幣の金種が設定金種として入力される場合が多い。金種設定器２１により設定された設定金種に係る情報は金種判定器２２に送られる。ここでは、米ドル紙幣において偽造頻度の高い１００ドル紙幣という金種が、偽造紙幣であるか否かの識別対象として操作者により金種設定器２１に入力された例について述べる。
【００２６】
その後、ＳＴＥＰ２に示すように、操作者が紙幣取り入れ口１２により複数の金種が混在している紙幣を偽造貨幣識別支援装置１０の内部に取り入れる。この際に、紙幣取り入れ口１２近傍に設けられた検出センサにより、内部に取り入れられる紙幣の金種が検出され、この検出された金種情報が制御部２０の金種判定器２２に送られる。
【００２７】
この紙幣の取り入れ動作の際に、ＳＴＥＰ３に示すように、紙幣取り入れ口１２により内部に取り入れられた紙幣の金種と、金種設定器２１により予め設定された設定金種とが同一であるか否かを金種判定器２２が紙幣毎に一枚ずつ判定する。具体的には、紙幣取り入れ口１２により内部に取り入れられた紙幣の金種および数量が例えば１００ドル紙幣１枚と２０ドル紙幣２枚であった場合には、１枚の１００ドル紙幣については設定金種と一致するが２枚の２０ドル紙幣については各々設定金種とは一致しないことが金種判定器２２により判定される。
ここで、紙幣取り入れ口１２により取り入れられた紙幣のうち設定金種と同一の金種である紙幣が存在することが金種判定器２２により判定されたときには、具体的には１００ドル紙幣が紙幣取り入れ口１２により取り入れられたことが判定されたときには、喚起用ブザー２５が喚起音を発することにより操作者に対して紙幣の識別操作を手動で行う必要があることを報知する。
【００２８】
次に、ＳＴＥＰ４に示すように、金種判定器２２によって設定金種と同一の金種であると判定された紙幣を特定紙幣として紙幣排出口１４により外部へ排出する。一方、設定金種とは同一の金種ではないと判定された紙幣については金種毎に分類されて紙幣収納庫１３に収納される。具体的には、１００ドル紙幣は設定金種と一致するので特定紙幣として外部へ排出されるが、２枚の２０ドル紙幣は各々設定金種とは一致しないので紙幣収納庫１３内の２０ドル紙幣に対応する収納スペース（図示せず）に収納される。
【００２９】
この特定紙幣の排出動作の際に、ＳＴＥＰ５に示すように、紙幣排出口１４近傍に設けられた検出センサにより、紙幣排出口１４により外部へ排出される特定紙幣の金種が紙幣毎に検出され、この検出された金種および当該金種に対応する特定紙幣の数量に関する情報が制御部２０の記憶器２３に送られる。記憶器２３は、この送られた特定紙幣の金種および数量を記憶する。具体的には、記憶器２３において特定紙幣が１００ドル紙幣１枚であることが記憶される。
【００３０】
次に、ＳＴＥＰ６に示すように、紙幣排出口１４から排出された特定紙幣を操作者が観察したり直接手で触れたりすることにより、この特定紙幣が偽造紙幣であるか否かを操作者が手動により識別する。なお、一般的に紙幣排出口１４から排出された特定紙幣の紙質と真の紙幣の紙質との比較については、機械による判断よりも人間の触感による判断の方が優れている場合が多い。ここで、特定紙幣が偽造紙幣であることが判明した場合は、操作者は警察に通報する等の非常時に係る所定の作業を行うこととなる。一方、特定紙幣に偽造紙幣が含まれていないことが判明した場合には、ＳＴＥＰ７に示すように、操作者は識別済の特定貨幣を紙幣取り入れ口１２により再び偽造貨幣識別支援装置１０の内部に取り入れる。具体的には、前述のように紙幣排出口１４から排出された１枚の１００ドル紙幣が偽造紙幣であるか否かの識別を操作者が行い、偽造紙幣でないと判明した後に再びこの１枚の１００ドル紙幣を紙幣取り入れ口１２により偽造貨幣識別支援装置１０の内部に取り入れる。
【００３１】
この際に、ＳＴＥＰ８に示すように、紙幣取り入れ口１２近傍に設けられた検出センサにより、紙幣取り入れ口１２により取り入れられる特定紙幣の金種が検出され、この検出された金種および当該金種に対応する特定紙幣の数量に関する情報（例えば、再び取り入れられた特定紙幣は１００ドル紙幣１枚であるという情報）が制御部２０に送られる。そして、制御部２０において、この再び取り入れられた特定紙幣の金種および数量と記憶器２３に記憶された金種および数量とが一致したときに偽造紙幣の識別操作が正常に終了したと判断される。
紙幣取り入れ口１２により偽造貨幣識別支援装置１０に取り入れられた特定紙幣は、紙幣収納庫１３内における特定紙幣の金種に対応する収納スペース（図示せず）、すなわち１００ドル紙幣の収納スペースに収納される。
【００３２】
最後に、ＳＴＥＰ９に示すように、制御部２０において偽造紙幣の識別操作が正常に終了したことが判断されたときに、識別操作終了報知ブザー２７により報知音が発せられる。このことにより、操作者は偽造紙幣の識別操作が正常に終了したことを確実に認識することができる。また、この際に、伝達器２４により、ＰＯＳシステム３０に対して上述の偽造紙幣の識別操作が正常に終了したという情報が伝達される。このことにより、ＰＯＳシステム３０において所望の情報管理を行うことができる。
さらに、この際に、紙幣取り入れ口１２により最初に外部から取り入れられた全ての紙幣の金種および数量に係る情報も伝達器２４によりＰＯＳシステム３０に送られるようになっており、このことにより、ＰＯＳシステム３０においてこの情報（例えば、取り入れられた紙幣は１００ドル紙幣１枚および２０ドル紙幣２枚であるという情報）を管理することができる。
このようにして、一連の偽造紙幣の識別操作が完了する。
【００３３】
以上のように本実施の形態の偽造貨幣識別支援装置１０によれば、外部から取り入れられた紙幣のうち、予め設定された設定金種と同一の金種であると判定された紙幣のみを特定紙幣として外部へ排出し、この際に、外部へ排出する特定紙幣の金種および数量を記憶器２３に記憶する。そして、外部へ排出された特定紙幣のうち手動により偽造紙幣ではないと識別された特定紙幣を再び取り入れ、この再び取り入れられた特定紙幣の金種および数量と記憶器２３により記憶された金種および数量とが一致したときに偽造紙幣の識別操作が正常に終了したと判断される。このような偽造貨幣識別支援装置１０を用いることにより、全ての紙幣について操作者が手動により偽造紙幣であるか否かの識別操作を行う場合と比較して、高額紙幣等の特定の金種の紙幣を自動的に抽出してこの抽出された紙幣のみの識別を手動により行うので操作者の手間を省くことができ、一連の識別操作にかかる時間を短縮することができる。また、紙幣が偽造紙幣であるか否かを自動的に識別する自動識別装置を用いる場合と比較して、装置全体のコストを安価なものとすることができるとともに、操作者が紙幣に直接触れることにより、対象となる紙幣が偽造紙幣であったときには操作者は手ざわり等の触感によりこのことを認識することができる。
【００３４】
本実施の形態による偽造貨幣識別支援装置は、上記の態様に限定されるものではなく、様々の変更を加えることができる。
例えば、図１に示す偽造貨幣識別支援装置１０において、識別操作の対象となる貨幣は米ドル紙幣に限定されることはなく、例えばユーロ紙幣や日本の円紙幣、あるいは他の国の紙幣であってもよい。具体的には、米ドル紙幣と同様にユーロ紙幣にも偽造紙幣が含まれている可能性が高く、とりわけ５０ユーロ紙幣や１００ユーロ紙幣は偽造頻度が高い金種となっているので、これらの金種を設定金種として設定を行うことにより、偽造ユーロ紙幣について所望の識別操作を行うことができる。
また、識別操作の対象となる貨幣は紙幣処理部１１により処理が行われる紙幣に限定されることはなく例えば硬貨処理部１５により処理が行われる硬貨であってもよい。この場合、制御部２０のインターフェース２９は、硬貨処理部１５の硬貨取り入れ口１６、硬貨収納庫１７および硬貨排出口１８にもそれぞれ接続している。そして、硬貨取り入れ口１６により外部から取り入れられた硬貨のうち、予め設定された設定金種と同一の金種であると判定された硬貨のみを特定硬貨として外部へ排出し、この際に、外部へ排出する特定硬貨の金種および数量を記憶器２３において記憶することとなる。その後、外部へ排出された特定硬貨のうち手動により偽造硬貨ではないと識別された特定硬貨を再び取り入れ、この再び取り入れられた特定硬貨の金種および数量と記憶器２３により記憶された金種および数量とが一致したときに偽造硬貨の識別操作が正常に終了したと判断されるようになる。
【００３５】
また、紙幣取り入れ口１２により取り入れられた紙幣のうち設定金種と同一の金種である紙幣が存在することが金種判定器２２により判定されたときに、操作者に対して紙幣の識別を手動で行う必要があることを知らせる喚起手段としては、喚起音を発して操作者の聴覚に訴える喚起用ブザー２５に限定されることはなく、例えばタッチパネル等の表示により視覚に訴えるものであってもよい。また、喚起手段は、紙幣の識別を手動で行う必要があるという情報をＰＯＳシステム３０に送るようになっていてもよい。
同様に、偽造貨幣識別支援装置１０に障害が発生したときに操作者に対して警報を発する警報手段としては、警報音を発して操作者の聴覚に訴える障害発生時用ブザー２６に限定されることはなく、例えばタッチパネル等の表示により視覚に訴えるものであってもよい。この際に、例えば喚起手段が操作者の聴覚に訴えるものであるのに対し警報手段が操作者の視覚に訴えるものである等、喚起手段と警報手段の構成が全く異なるものとなっていることが好ましい。
同じく、偽造紙幣の識別操作が正常に終了したことが判断されたときに操作者に対してこのことを報知する識別操作終了報知手段としては、報知音を発して操作者の聴覚に訴える識別操作終了報知ブザー２７に限定されることはなく、例えばタッチパネル等の表示により視覚に訴えるものであってもよい。
【図面の簡単な説明】
【００３６】
【図１】本実施の形態の偽造貨幣識別支援装置の外観を示す斜視図である。
【図２】図１の偽造貨幣識別支援装置の制御部および各ブザーの構成を示すブロック図である。
【図３】図１の偽造貨幣識別支援装置を用いて偽造貨幣の手動による識別操作を行う際の各工程を示すフローチャートである。
【符号の説明】
【００３７】
１０    偽造貨幣識別支援装置
１１    紙幣処理部
１２    紙幣取り入れ口
１３    紙幣収納庫
１４    紙幣排出口
１５    硬貨処理部
１６    硬貨取り入れ口
１７    硬貨収納庫
１８    硬貨排出口
２０    制御部
２１    金種設定器
２２    金種判定器
２３    記憶器
２４    伝達器
２５    喚起用ブザー
２６    障害発生時用ブザー
２７    識別操作終了報知ブザー
２９    インターフェース
３０    販売時点情報管理システム（ＰＯＳシステム）
【図１】
0004744950.tif 000002
【図２】
0004744950.tif 000003
【図３】
0004744950.tif 000004